(57)【特許請求の範囲】
【請求項１】
操作に応じて表示対象が入力される入力手段と、
所定の中心軸である撮影中心軸上にある被写体を前記撮影中心軸を中心とする円周上の複数の撮影位置から撮影した撮影情報に、前記入力手段により入力された前記表示対象を重ね合わせ、前記円周の所定の周方向の順番に順次表示する切替表示手段とを備え、
前記切替表示手段は、前記表示対象が円筒面に描画された仮想の円筒を、前記仮想の円筒の中心軸回りに回転するように前記表示対象を表示し、
前記仮想の円筒の円筒面を帯状に展開し、前記表示対象の表示内容を静止した状態で表示する帯状表示手段と、
前記仮想の円筒の径が入力される円筒径入力手段とを備え、
前記切替表示手段は、前記円筒径入力手段への入力に応じて、前記仮想の円筒の径を変更し、既に表示されている前記表示対象をその回転半径を変更して表示すること、
を特徴とする立体表示入力装置。
【請求項２】
操作に応じて表示対象が入力される入力手段と、
所定の中心軸である撮影中心軸上にある被写体を前記撮影中心軸を中心とする円周上の複数の撮影位置から撮影した撮影情報に、前記入力手段により入力された前記表示対象を重ね合わせ、前記円周の所定の周方向の順番に順次表示する切替表示手段とを備え、
前記切替表示手段は、前記表示対象が円筒面に描画された仮想の円筒を、前記仮想の円筒の中心軸回りに回転するように前記表示対象を表示し、
前記仮想の円筒の円筒面を帯状に展開し、前記表示対象の表示内容を静止した状態で表示する帯状表示手段を備え、
前記切替表示手段は、前記仮想の円筒の回転軸が前記撮影中心軸とは異なるように、前記表示対象を表示すること、
を特徴とする立体表示入力装置。
【請求項３】
請求項１又は請求項２に記載の立体表示入力装置において、
前記各撮影情報と前記表示対象とを重ね合わせたデータを新たに生成する重ね合わせデータ生成手段を備えること、
を特徴とする立体表示入力装置。
【請求項４】
請求項３に記載の立体表示入力装置を備え、
前記立体表示入力装置が新たに生成した前記データを、情報通信端末に送信する送信手段を備えること、
を特徴とする立体表示データ通信システム。
【請求項５】
コンピュータを、
操作に応じて表示対象が入力される入力手段と、
所定の中心軸である撮影中心軸上にある被写体を前記撮影中心軸を中心とする円周上の複数の撮影位置から撮影した撮影情報に、円筒面に前記表示対象が描画された仮想の円筒を前記仮想の円筒の中心軸回りに回転するように前記表示対象を重ね合わせ、前記円周の所定の周方向の順番に順次表示する切替表示手段と、
前記仮想の円筒の円筒面を帯状に展開し、前記表示対象の表示内容を静止した状態で表示する帯状表示手段と、
前記仮想の円筒の径が入力される円筒径入力手段として機能させ、
前記切替表示手段を、前記円筒径入力手段への入力に応じて、前記仮想の円筒の径を変更し、既に表示されている前記表示対象をその回転半径を変更して表示するように機能させること、
を特徴とする立体表示入力プログラム。
【請求項６】
コンピュータを、
操作に応じて表示対象が入力される入力手段と、
所定の中心軸である撮影中心軸上にある被写体を前記撮影中心軸を中心とする円周上の複数の撮影位置から撮影した撮影情報に、円筒面に前記表示対象が描画された仮想の円筒を前記仮想の円筒の中心軸回りに回転するように前記表示対象を重ね合わせ、前記円周の所定の周方向の順番に順次表示する切替表示手段と、
前記仮想の円筒の円筒面を帯状に展開し、前記表示対象の表示内容を静止した状態で表示する帯状表示手段として機能させ、
前記切替表示手段を、前記仮想の円筒の回転軸が前記撮影中心軸とは異なるように、前記表示対象を表示するように機能させること、
を特徴とする立体表示入力プログラム。
【発明の詳細な説明】
【技術分野】
【０００１】
本発明は、撮影情報に落書き等を加えたデータを出力する立体表示入力装置、立体表示入力プログラム及び立体表示データ通信システムに関するものである。
【背景技術】
【０００２】
従来より、ゲームコーナー等において、利用者を撮影し、モニタに表示した撮影画像にいたずら書きを加え、印刷して出力する撮影装置（いわゆるプリントシール機）があった（例えば特許文献１）。また、一部の撮影装置においては、その撮影画像を携帯電話機に送信して、携帯電話機のモニタに撮影画像を出力することが行われている。
しかし、これらの撮影装置は、落書きや撮影画像の出力が単純であるため、目新しさがなくなってきている。
【特許文献１】特開２００５−３２６４３５号公報
【発明の開示】
【発明が解決しようとする課題】
【０００３】
本発明の課題は、利用者の撮影情報に落書きを加えたデータを面白い態様で出力することができる立体表示入力装置、立体表示入力プログラム及び立体表示データ通信システムを提供することである。
【課題を解決するための手段】
【０００４】
本発明は、以下のような解決手段により、課題を解決する。なお、理解を容易にするために、本発明の実施例に対応する符号を付して説明するが、これに限定されるものではなく、符号を付して説明した構成は、適宜改良してもよく、また少なくとも一部を他の構成物に代替してもよい。
【０００５】
請求項１の発明は、操作に応じて表示対象が入力される入力手段（２１）と、所定の中心軸である撮影中心軸（Ｃ）上にある被写体（Ｕ）を前記撮影中心軸を中心とする円周上の複数の撮影位置から撮影した撮影情報に、前記入力手段により入力された前記表示対象（１２１Ａ〜１２１Ｃ，１３２）を重ね合わせ、前記円周の所定の周方向の順番に順次表示する切替表示手段（Ｐ１）とを備え、前記切替表示手段（Ｐ１）は、前記表示対象（１３２）が円筒面に描画された仮想の円筒（１３５）を、前記仮想の円筒の中心軸（Ｏ）回りに回転するように前記表示対象を表示し、前記仮想の円筒の円筒面を帯状に展開し、前記表示対象の表示内容を静止した状態で表示する帯状表示手段（１３４）と、前記仮想の円筒（１３５）の径が入力される円筒径入力手段（１３７）とを備え、前記切替表示手段（Ｐ１）は、前記円筒径入力手段への入力に応じて、前記仮想の円筒の径を変更し、既に表示されている前記表示対象（１３２）をその回転半径を変更して表示すること、を特徴とする立体表示入力装置である。
請求項２の発明は、操作に応じて表示対象が入力される入力手段（２１）と、所定の中心軸である撮影中心軸（Ｃ）上にある被写体（Ｕ）を前記撮影中心軸を中心とする円周上の複数の撮影位置から撮影した撮影情報に、前記入力手段により入力された前記表示対象（１２１Ａ〜１２１Ｃ，１３２）を重ね合わせ、前記円周の所定の周方向の順番に順次表示する切替表示手段（Ｐ１）とを備え、前記切替表示手段（Ｐ１）は、前記表示対象（１３２）が円筒面に描画された仮想の円筒（１３５）を、前記仮想の円筒の中心軸（Ｏ）回りに回転するように前記表示対象を表示し、前記仮想の円筒の円筒面を帯状に展開し、前記表示対象の表示内容を静止した状態で表示する帯状表示手段（１３４）とを備え、前記切替表示手段（Ｐ１）は、前記仮想の円筒（１３５）の回転軸（Ｏ）が前記撮影中心軸（Ｃ）とは異なるように、前記表示対象（１３２）を表示すること、を特徴とする立体表示入力装置である。
請求項３の発明は、請求項１又は請求項２に記載の立体表示入力装置において、前記各撮影情報と前記表示対象（１２１Ａ〜１２１Ｃ，１３２）とを重ね合わせたデータを新たに生成する重ね合わせデータ生成手段（４０）を備えること、を特徴とする立体表示入力装置である。
【０００７】
請求項４の発明は、請求項３に記載の立体表示入力装置（１）を備え、前記立体表示入力装置が新たに生成した前記データを、情報通信端末（４８）に送信する送信手段（３１，５０等）を備えること、を特徴とする立体表示データ通信システムである。
【０００８】
請求項５の発明は、コンピュータを、操作に応じて表示対象が入力される入力手段と、所定の中心軸である撮影中心軸（Ｃ）上にある被写体（Ｕ）を前記撮影中心軸を中心とする円周上の複数の撮影位置から撮影した撮影情報に、円筒面に前記表示対象が描画された仮想の円筒（１３５）を前記仮想の円筒の中心軸回りに回転するように前記表示対象を重ね合わせ、前記円周の所定の周方向の順番に順次表示する切替表示手段（Ｐ１）と、前記仮想の円筒の円筒面を帯状に展開し、前記表示対象の表示内容を静止した状態で表示する帯状表示手段（１３４）と、前記仮想の円筒の径が入力される円筒径入力手段として機能させ、前記切替表示手段を、前記円筒径入力手段への入力に応じて、前記仮想の円筒の径を変更し、既に表示されている前記表示対象をその回転半径を変更して表示するように機能させること、を特徴とする立体表示入力プログラムである。
請求項６の発明は、コンピュータを、操作に応じて表示対象が入力される入力手段と、所定の中心軸である撮影中心軸（Ｃ）上にある被写体（Ｕ）を前記撮影中心軸を中心とする円周上の複数の撮影位置から撮影した撮影情報に、円筒面に前記表示対象が描画された仮想の円筒（１３５）を前記仮想の円筒の中心軸回りに回転するように前記表示対象を重ね合わせ、前記円周の所定の周方向の順番に順次表示する切替表示手段（Ｐ１）と、前記仮想の円筒の円筒面を帯状に展開し、前記表示対象の表示内容を静止した状態で表示する帯状表示手段（１３４）として機能させ、前記切替表示手段を、前記仮想の円筒の回転軸が前記撮影中心軸とは異なるように、前記表示対象を表示するように機能させること、を特徴とする立体表示入力プログラムである。
【発明の効果】
【０００９】
本発明によれば、以下の効果を奏することができる。
（１）本発明は、被写体を円周上の複数の撮影位置から撮影した撮影情報に表示対象を重ね合わせ、所定の周方向の順番に順次表示するので、被写体が回転しているとともに、表示対象が回転しているように、面白い態様で表示することができる。
（２）本発明は、表示内容が円筒面に表示され仮想の円筒を回転するように表示され、また仮想の円筒の円筒面を展開して表示対象の表示内容を静止した状態で表示するので、円筒面に表示対象を書き込むように表示対象を入力すると同時に、表示内容を静止状態でじっくり確認することができる。
【００１０】
（３）本発明は、仮想の円筒の径の入力に応じて、既に表示されている表示対象をその回転半径を変更して表示するので、表示対象の回転半径の編集を容易にすることができる。
（４）本発明は、仮想の円筒の回転軸が撮影中心軸の中心軸とは異なるように表示対象を表示するので、被写体の回転軸と表示対象の回転軸とが異なり、面白い態様で表示することができる。
【００１１】
（５）本発明は、表示対象が風景画像なので、被写体が撮影場所以外の場所（例えば、観光地等）にあるように表示することができる。
（６）本発明は、撮影情報と表示対象とを重ね合わせたデータを新たに生成するので、新たに生成するデータの容量を少なくしてデータを扱うことができる。
（７）本発明は、撮影情報と表示対象とを重ね合わせ新たに生成したデータを情報通信端末に送信するので、データ容量の増加分を抑えて情報通信端末に送信し、情報通信端末のモニタ等に表示することができる。
【発明を実施するための最良の形態】
【００１２】
本発明は、利用者の撮影情報に落書きを加えたデータを面白い態様で出力することができる立体表示入力装置、立体表示入力プログラム及び立体表示データ通信システムを提供するという目的を、操作に応じて落書き等が入力される落書き用モニタと、所定の中心軸である撮影中心軸上にある利用者を撮影中心軸を中心とする円周上の複数の撮影位置から撮影した撮影情報に、落書き用モニタより入力された落書き等を重ね合わせ、円周の所定の周方向の順番に順次表示するプレビュー表示領域と、を撮影システム１に備えることによって実現した。
【００１３】
（実施形態）
以下、図面等を参照して、本発明の実施形態について説明する。
最初に、本実施形態の撮影システム１の構成の概略を説明する。
図１は、本実施形態の撮影システム１の斜視図である。
図２は、本実施形態の撮影室１０内のカメラ配置を説明する図であり、図２（ａ）は、上面図、図２（ｂ）は、斜視図である。
撮影システム１（立体表示入力装置）は、撮影室１０（筐体）及び落書き装置２０を備えている。撮影室１０は、外壁が円筒状又は多角形の筒状に形成され、撮影室１０の水平面（図中ＸＹ平面）における直径が２ｍ程度、鉛直方向（図中矢印Ｚ方向）の高さが２ｍ程度の大型の装置である。
【００１４】
図１、図２に示すように、撮影室１０の内部には、２４台のカメラ１１（撮影機）と、プレビューモニタ１２と、内壁１３とが設置されている。以下、カメラ１１については、必要に応じて枝番号（１１−１〜１１−２４）を付して説明する。
カメラ１１は、ＣＣＤ（Ｃｈａｒｇｅ  Ｃｏｕｐｌｅｄ  Ｄｅｖｉｃｅ）等の撮像素子を備えたデジタルカメラである。図２に示すように、カメラ１１は、撮影室１０の中心軸Ｃ（撮影中心軸）を中心とした水平面（ＸＹ平面）内の同一円周上の位置（撮影位置）に配置されている。カメラ１１−１〜１１−２４は、等間隔つまり中心軸Ｃを中心に１５°間隔に、円環状のフレーム１１ａの上に設置されている。２４台のカメラ１１−１〜１１−２４は、光軸が中心軸Ｃを向くように配置されており、撮影室１０の中心軸Ｃ上に位置する利用者Ｕ（被写体）を、同時に又は所定の時間差（所定時間）毎に、複数の撮影角度から撮影を行うことができる。
以上の構成により、カメラ１１−１〜１１−２４は、直立している利用者Ｕを周囲から同時に又は所定の時間差毎に撮影し、各撮影位置からの利用者Ｕの静止画の撮影情報（撮影画像）を取得（撮影）することができる。
【００１５】
プレビューモニタ１２は、撮影時に２４台のカメラ１１−１〜１１−２４の撮影画像を利用者Ｕが確認するためのＬＣＤ（液晶表示装置）等の表示装置である。プレビューモニタ１２は、利用者Ｕが撮影中に視認できるように、表示画面が中心軸Ｃを向くように、撮影室１０内に設置されている（図１参照）。
内壁１３は、カメラ１１よりも内側に設けられ、利用者Ｕを全周囲うような円筒状に形成されている。内壁１３には、撮影用の２４つの撮影穴１３ａが各カメラ１１−１〜１１−２４に対応して設けられている。また、内壁１３は、その内壁面１３ｂつまり利用者Ｕ側の壁面が緑色又は青色の単一色に彩色されている。この彩色は、制御部４０（後述する）が撮影情報から利用者Ｕの背景を削除するクロマキー処理を容易にするためである。
【００１６】
カメラ１１によって撮影された撮影情報は、落書き装置２０に送信される。
落書き装置２０は、撮影室１０に隣接して配置されている。落書き装置２０は、利用者Ｕが操作することにより、受信した撮影情報を編集して、背景画像の入れ替え、画像への文字等の書き込み、撮影情報の出力方法の設定等を行うことができる。落書き装置２０は、後述するように落書き用モニタ２１及び落書きペン２２が設けられている。
撮影情報の出力は、例えば、携帯電話機４８（図３参照）への送信、複数角度からの画像のシール付きのシートへの印刷等のなかから選択することができる。
【００１７】
図３は、本実施形態の撮影情報の通信システム１００のブロック図である。
撮影情報の通信システム１００（立体表示データ通信システム）は、撮影システム１と、撮影システム１にインターネット等の通信網４９により接続されたサーバ５０等とから構成される。撮影システム１とサーバ５０とは、通信網４９により基地局４７に接続されている。基地局４７は、利用者Ｕが所有する携帯電話機４８（情報通信端末）との間で、無線によりデータの送受信を行うことができる。これにより、撮影システム１とサーバ５０とからなる通信システム１００は、撮影情報を携帯電話機４８に送信することができる。
【００１８】
撮影システム１は、撮影室１０に設けられたカメラ１１及びプレビューモニタ１２と、マイク１５と、落書き装置２０に設けられた落書き用モニタ２１（入力装置）及び落書きペン２２（図１参照）と、通信回路３１（送信手段）、記憶部３５及び制御部４０とを備えている。なお、通信回路３１、記憶部３５及び制御部４０は、例えば落書き装置２０内部に収容してもよいし、別途設置された専用ケース（図示せず）内に収容してもよい。
【００１９】
プレビューモニタ１２は、制御部４０から出力された撮影情報を表示する。利用者Ｕは、プレビューモニタ１２を視認することにより、写り具合やポーズを確認して、再撮影するか否かの判断を容易に行うことができる。プレビューモニタ１２には、回転表示（後述する）等をすることができる。
【００２０】
マイク１５は、利用者Ｕがカメラ１１を操作するための音声を入力するために、撮影室１０内に設けられた音声入力部である。マイク１５は、撮影画像に写り込まないように、例えば撮影室１０の天井に吊り下がるように設置されている。利用者Ｕに発せられマイク１５に入力された音声は、電気信号に変換されて制御部４０へ出力され、制御部４０がこの電気信号に基づいて音声認識を行いカメラ１１、プレビューモニタ１２等を制御する。
なお、これら制御部４０への命令は、プレビューモニタ１２の操作ボタンやリモコン（図示せず）等によるものでよい。
【００２１】
カメラ１１は、ＵＳＢ（ユニバーサル  シリアル  バス）ケーブル等により落書き装置２０に電気的に接続されており、撮影情報を制御部４０に出力する。
落書き用モニタ２１は、例えば電磁誘導方式によるペンタブレットにＬＣＤを重ね合わせた液晶タブレットである。落書き用モニタ２１には、撮影画像が表示され、利用者Ｕは、落書き用モニタ２１に落書きペン２２の先端を接触させることにより、撮影画像に文字、図形等を追加することができる。また、落書き用モニタ２１には、液晶タブレットの他、抵抗皮膜方式、静電容量方式等のタッチパネル等も利用することができる。
【００２２】
記憶部３５は、撮影システム１の動作に必要なプログラム（立体表示入力プログラム）、情報（例えば、後述する背景画像、アイテムに関する情報）等を記憶するためのハードディスク、半導体メモリ等の記憶装置である。
【００２３】
なお、制御部４０は、後述する落書き処理のために、撮影情報から撮影時の背景を削除した上で、撮影情報を記憶部３５に一時的に記憶する。背景は、クロマキー処理によって背景の大部分を削除され、さらに差分処理により背景に写りこんでいる撮影穴１３ａ及びプレビューモニタ１２が削除される。差分処理とは、利用者Ｕがいない状態で撮影画像を撮影し、この撮影情報と利用者Ｕの撮影情報とを比較して共通する情報を抽出して、この共通した情報を利用者Ｕの撮影情報から削除することをいう。撮影穴１３ａ及びプレビューモニタ１２の画像は、利用者Ｕの有無に関わらず撮影情報に共通して含まれるので、利用者Ｕを撮影した撮影情報からこの共通したデータを削除することにより、利用者Ｕを撮影した撮影画像から撮影穴１３ａ及びプレビューモニタ１２の画像を削除することができる。
このように、制御部４０は、クロマキー処理によって背景の大部分を削除した後に、差分処理により撮影穴１３ａ等を削除することにより、背景処理を容易にして処理時間を短縮することができる。
【００２４】
サーバ５０は、通信回路５１と、記憶部６０と、制御部７０とを備えている。
通信回路５１は、通信網４９等を介して、携帯電話機４８と撮影システム１との間で、撮影情報及び撮影情報に関連した情報等を送受信するための電気回路である。
記憶部６０は、サーバ５０の動作に必要なプログラム、情報等を記憶するためのハードディスクの記憶装置である。また、記憶部６０は、撮影システム１から送信された撮影情報等を記憶する記憶領域を有している。
【００２５】
制御部７０は、サーバ５０を統括的に制御するための制御部であり、例えばＣＰＵ等から構成される。制御部７０は、記憶部６０に記憶された各種プログラムを適宜読み出して実行することにより、上述したハードウェアと協働し、本発明に係る各種機能を実現している。
制御部７０は、通信回路５１を制御して撮影システム１や携帯電話機４８との間で撮影情報の送受信を行ったり、また記憶部６０を制御して撮影情報の記憶に関する処理を行う。
利用者Ｕの所有する携帯電話機４８は、モニタ４８ａを備えた音声端末である。携帯電話機４８は、ＪＡＶＡ（登録商標）等で作成された再生プログラムや、ＦＬＡＳＨ（登録商標）ＰＬＡＹＥＲ等の再生ソフトが組み込まれている。携帯電話機４８は、これらの再生プログラム等を活用して、基地局４７を介してサーバ５０又は撮影システム１から受信した撮影情報を、モニタ４８ａに出力することができる。
【００２６】
次に、落書き用モニタ２１の表示内容を説明しながら背景画像、落書き等の表示対象の設定、処理について説明する。
図４は、本実施形態の落書きのスタート画面１０１を示す図である。
利用者Ｕが撮影を終了し撮影室１０から退室する場面では、制御部４０は、２４つの各撮影情報から背景データを削除し撮影位置に対応したデータ名を付けて記憶部３５に記憶している。
図４に示すように、落書きの処理のスタート画面１０１では、制御部４０は、落書き用モニタ２１に２４つの撮影情報のうち１つを選択して画像を表示し（図４は、利用者Ｕの正面のカメラ１１−１（図２参照）が取得した画像データを、デフォルトとして表示する例である）、また「スタート」と表示されたスタートボタン１０２を表示する。なお、本実施形態でボタンとは、落書き用モニタ２１に表示され、落書きペン２２でタッチすることにより、制御部４０への信号の出力が可能な表示部分をもいう。
利用者Ｕが落書きペン２２でスタートボタン１０２をタッチすると、制御部４０は、図５に示すフレームの選択画面を表示する。なお、制御部４０は、スタートボタン１０２を表示する代わりに、例えば「画面をタッチして下さい」のように画面タッチを促すメッセージを表示し、スタート画面１０１のいずれかの部分がタッチされることにより、フレームの選択画面を表示するようにしてもよい。
【００２７】
［フレーム選択処理］
図５は、本実施形態のフレーム設定画面１１０を示す図である。
図６は、本実施形態のフレーム設定時におけるプレビュー表示領域Ｐ１の表示例を示す図である。
図５に示すように、フレーム設定画面１１０では、制御部４０は、プレビュー表示領域Ｐ１（切替表示手段）と、プレビュー操作領域１１１と、フレームアイテム表示領域１１２と、人物表示位置領域１１３と、人物大きさ設定領域１１４と、残り時間表示領域１１５とを落書き用モニタ２１に表示する。
プレビュー表示領域Ｐ１は、落書き等を加えて生成された画像を利用者Ｕが確認するための表示領域である。撮影システム１を用いることにより、利用者Ｕは、自分が所有する携帯電話機４８に送信する前に、予めプレビュー表示領域Ｐ１でその画像を確認することができる。
制御部４０は、プレビュー操作領域１１１の各ボタンが落書きペン２２でタッチされることにより、プレビュー表示領域Ｐ１の表示内容を変更する。プレビュー操作領域１１１のボタンは以下の通りである。
【００２８】
再生ボタン１１１ａ：円周上に設定されたカメラ１１が取得した撮影情報を、その円周の周方向の左回り又は右回り方向（所定の周方向）の順番にプレビューモニタ１２に順次出力する。これにより、撮影システム１は、あたかも利用者Ｕが断続的に１５°ずつ回転しているかのように、プレビューモニタ１２に回転表示することができる（図６参照）。なお、本実施形態では、このような表示方法を回転表示という。制御部４０は、再生ボタン１１１ａが一度タッチされると利用者Ｕが左回りに回転しているように回転表示、つまりカメラ１１−１，１１−２，・・・，１１−２４の右回りの順に表示する。そして、再生ボタン１１１ａがもう一度タッチされると利用者Ｕが右回りに回転しているように回転表示、つまりカメラ１１−２４，１１−２３，・・・，１１−１の左回りの順に表示する。
停止ボタン１１１ｂ：回転表示を停止するためのボタンである。
巻戻しボタン１１１ｃ：回転表示を右回りに早戻しして表示するためのボタンである。
早送りボタン１１１ｄ：回転表示を左回りに早送りして表示するためのボタンである。
正面表示ボタン１１１ｅ：利用者Ｕの撮影情報を順次表示している場合に、正面の撮影情報を表示させるためのボタンである。
【００２９】
フレームアイテム表示領域１１２は、選択可能なフレームを表示するための表示領域である。利用者Ｕが落書きペン２２でフレームを選択してプレビュー表示領域Ｐ１をタッチして選択すると、制御部４０は、プレビュー表示領域Ｐ１に選択されたフレームを表示する。
人物表示位置領域１１３は、プレビュー表示領域Ｐ１内での利用者Ｕの画像の表示位置を設定するためのボタンを表示する表示領域である。制御部４０は、４つの上下左右ボタン１１３ａのいずれかがタッチされると、プレビュー表示領域Ｐ１内での利用者Ｕの画像をそれぞれ上下左右に移動する。
人物大きさ設定領域１１４は、プレビュー表示領域Ｐ１内での利用者Ｕの画像の大きさを設定するため表示領域である。制御部４０は、指標１１４ａがタッチされた状態で左方向又は右方向に移動されると、落書き用モニタ２１内での利用者Ｕの画像を拡大又は縮小する。
残り時間表示領域１１５は、落書き等の設定が可能な残時間を表示するための表示領域である。
【００３０】
利用者Ｕがフレーム、画面配置等の設定を終了して背景画像を設定するために背景タブ１３８ｂをタッチすると、制御部４０は、図７に示す背景画像の表示画面を表示する。
なお、図６に示すように、制御部４０は、回転表示中にも、プレビュー表示領域Ｐ１内でフレームＦを固定して表示する。本図において、４つの撮影画像のみを示すが、実際には２４枚の撮影画像が順次表示される。以下、回転表示を示す図面においても、同様である。
また、フレームタブ１３８ａをタッチすれば、フレーム設定画面１１０に戻ることができ、利用者Ｕは、フレームＦを再設定することができる。
【００３１】
［背景設定処理］
図７は、本実施形態の背景設定画面１２０を示す図である。
図８は、本実施形態の分割背景を生成する例を示す図である。
図９は、本実施形態の背景画像に新たな背景を合成する例を示す図である。
背景設定画面１２０では、制御部４０は、背景アイテム表示領域１２１を落書き用モニタ２１に表示する。
背景アイテム表示領域１２１には、選択可能な背景画像１２１Ａ〜１２１Ｃが、パノラマ画像すなわち３６０度全周の帯状の画像として表示される。利用者Ｕが落書きペン２２で背景画像１２１Ａ〜１２１Ｃをタッチして選択すると、制御部４０は、プレビュー表示領域Ｐ１に表示された利用者Ｕの画像データに、選択された背景画像１２１Ａ〜１２１Ｃを重ね合わせて表示する。図７には、ベイエリア等の風景の背景画像１２１Ａが、選択された例を示す。
【００３２】
図８（ａ）は、ベイエリアの背景画像１２１Ａから２４コマの分割背景Ｂを生成する例を示す図であり、図８（ｂ）、図８（ｃ）は、山野、海中の背景画像１２１Ｂ，１２１Ｃから分割背景Ｂ（４コマ分のみ示す）を生成する例を示す図である。
図８（ａ）に示すように、制御部４０は、１つの背景画像１２１Ａからプレビュー表示領域Ｐ１の表示サイズと同等な２４コマの分割背景Ｂ（Ｂ１〜Ｂ２４）を生成する（一部の分割背景は省略する）。そして、制御部４０は、利用者Ｕを回転表示する場合に、各撮影情報とを合成して重ねあわせ、プレビュー表示領域Ｐ１に表示する。図７に示すプレビュー表示領域Ｐ１は、分割背景Ｂ６と利用者Ｕの正面からの撮影画像とが合成されている例である。
このように、背景画像を風景画像に設定した場合、撮影システム１は、利用者Ｕが撮影室１０以外のベイエリア等で複数の角度から撮影されたように表示することができる。
【００３３】
また、図９に示すように、落書き装置２０は、背景画像を分割した分割背景Ｂの画像に、太陽や月の動き（図９（ａ））、天気の移り変わり（図９（ｂ））、季節の移り変わり（図９（ｃ））等の情報を新たな背景を加えてもよい。この場合、各分割背景Ｂの画像データと、太陽Ｓ、月Ｍ等の位置が異なる画像データとを合成すればよい。
このように落書き装置２０は、落書き用モニタ２１に画像を順次表示することを利用して、時間の経過とともに画像が変化していく様子を表示し、面白い態様で表現することができる。
なお、落書き用モニタ２１に画像を順次表示しているときに、正面表示ボタン１１１ｅがタッチされると、制御部４０は、背景画像をそのままに、利用者Ｕの画像データのみを正面からの画像データへと変化させる。例えば、図９（ａ）において「夜」が表示されているときに、正面表示ボタン１１１ｅがタッチされると、この「夜」の場面が、利用者Ｕの正面データに対応した画像として設定する（図示せず）。このように、撮影システム１は、背景画像の表示周期と利用者Ｕの画像データの表示周期との間の位相を設定することができるので、利用者Ｕは、背景画像の好みの場面を、利用者Ｕの正面の画像に設定することができる。
また、利用者Ｕの正面データが表示されているときに、タッチペン２２によって背景画像を左右にドラックすることにより、背景画像の好みの場面を、利用者Ｕの正面の画像に設定できるようにしてもよい。
利用者Ｕが背景の背景画像の設定を終了し、落書き入力を選択するタブ（図示せず）をタッチすると、制御部４０は、図１０に示す文字、記号等の落書きの入力画面１３０を表示する。
【００３４】
［落書きの入力処理］
図１０は、本実施形態の落書き入力画面１３０を示す図である。
図１１は、本実施形態のアイテム１３２を示す図である。
図１２は、本実施形態のコロコロスタンプを示す図である。
図１３は、本実施形態の落書き入力時におけるプレビュー表示領域Ｐ１の表示例を示す図である。
図１４は、本実施形態の仮想の円筒１３５の傾きの設定を説明する図である。
図１５は、本実施形態の仮想の円筒１３５の径の設定を説明する図である。
【００３５】
図１０に示すように、文字、記号等の落書き入力画面１３０では、制御部４０は、アイテム選択領域１３１と、落書きエリアＡ１３３と、落書きエリアＢ１３４（帯状表示手段）と、プレビュー表示領域Ｐ１と、円筒傾き設定エリア１３６と、円筒サイズ調整エリア１３７（円筒径入力手段）とを落書き用モニタ２１に表示する。
落書きアイテム選択領域１３１は、画像データに追加可能な落書きのアイテム１３２を表形式で表示する表示領域である。アイテム１３２の種類は、スタンプタブ１３８ｃ、アニメタブ１３８ｄ、テキストタブ１３８ｅをタッチすることにより、切り替えることができる。
利用者Ｕが落書きペン２２でアイテム１３２をタッチして選択して落書きエリアＡ１３３又は落書きエリアＢ１３４をタッチして貼り付けすると、制御部４０は、落書きエリアＡ１３３又は落書きエリアＢ１３４に選択されたアイテム１３２を表示する。
【００３６】
図１１に示すように、選択されたアイテム１３２は、プレビュー表示領域Ｐ１において表示時間経過とともに変化する。例えば図１１（ａ）に示す花１３２ａは、つぼみの状態から開花した状態に変化する。同様に、図１１（ｂ）〜図１１（ｅ）に示すボール１３２ｂ等のアイテム１３２も、変形等しながら表示される。
落書きアイテム１３２の種類には、図１１に示す他に、図１２（ａ）〜１２（ｅ）に示すように落書きペン２２で入力したライン上を複数の星１３２ｎ、音符１３２ｏ等の図形が変化しながら表示されるいわゆるコロコロスタンプや、５０音の平仮名の文字（図示せず）等がある。
【００３７】
図１０に戻り、落書きエリアＡ１３３及び落書きエリアＢ１３４は、アイテム選択領域１３１で選択されたアイテム１３２を表示する表示領域である。図１０に示す例では、落書きエリアＡ１３３には、傘１３２ｆが選択され表示されている。
落書きエリアＡ１３３に貼り付けされたアイテム１３２は、フレーム（図５参照）と同様に、プレビュー表示領域Ｐ１において、利用者Ｕの画像データの回転表示中にも固定して表示される。
例えば、図１３（ａ）に示すように、傘１３２ｆが選択された例では、回転表示中にも傘１３２ｆの表示位置は固定され変化しない。
【００３８】
一方、図１３（ｂ）に示すように、制御部４０は、落書きエリアＢ１３４に貼り付けされたアイテム１３２を仮想の円筒１３５の円筒面に貼り付けるように描画する（つまり、落書きエリアＢ１３４は、その仮想の円筒１３５の円筒面を展開した状態が表示されていることになる）。そして、制御部４０は、図１３（ａ）に示すように、この円筒１３５が回転しているようにプレビュー表示領域Ｐ１内に表示する（図１３（ａ）は、この円筒１３５を破線で示すが、プレビュー表示領域Ｐ１には実際には円筒１３５は表示されない）。このように、円筒１３５は、プレビュー表示領域Ｐ１内で表示するアイテム１３２の回転を定義する。図１３に示す例では、落書きエリアＢ１３４には、ハート１３２ｇ、星１３２ｈのアイテムが選択され表示されている。
このように、撮影システム１は、利用者Ｕを円周上の複数の撮影位置から撮影した撮影情報に落書きデータを重ね合わせ、回転表示するので、利用者Ｕが回転しているとともに、落書きが回転しているように表示することができる。
また、撮影システム１は、アイテム１３２（落書き）を仮想の円筒１３５を回転するように表示するので、円筒面に書き込むように落書きすることがでる。さらに、撮影システム１は、仮想の円筒１３５の円筒面を展開して落書きエリアＢ１３４に静止した状態で表示するので、利用者Ｕは、落書きの内容を静止状態でじっくり確認することができる。
【００３９】
なお、撮影システム１は、アイテム１３２を回転させる円筒１３５を、１つのみに限らず複数設定できるようにしてもよい。この場合、撮影システム１は、複数のアイテム１３２が異なる回転軸を中心に回転する表示することができるので、表示態様が単調になることを防止して、面白い態様で表示することができる。
【００４０】
［円筒設定処理］
落書きの入力処理においては、以下のように仮想の円筒１３５の回転軸Ｏの角度や、径の設定をすることができる。
円筒傾き設定エリア１３６は、利用者Ｕと円筒１３５との配置の模式的な上面図を表示し、落書きエリアＢ１３４に貼り付けされたアイテム１３２の回転軸Ｏの傾きを設定する表示領域である。
図１４（ａ−１）に示すように、円筒傾き設定エリア１３６に表示されている円筒１３５の回転軸Ｏを落書きペン２２でタッチして移動すると、図１３（ａ−２）に示すように、回転軸Ｏが傾いた円筒１３５が表示される。
図１４（ａ−１）に示すように、円筒１３５の回転軸Ｏと中心軸Ｃとが一致している状態（初期状態）では、図１４（ｂ−１）に示すように、傘１３２ｉを回転する円筒１３５の回転軸Ｏと、利用者Ｕが回転しているように見せる中心軸Ｃとが同軸である。この場合、制御部４０は、傘１３２ｉが落書き用モニタ２１内を左右方向へのみ移動するように表示する。
円筒１３５の回転軸Ｏは、中心軸Ｃに対して９０°まで自由に傾けることができ、例えば、傾き０°の場合には傘１３２が左右方向に回転移動し、また、左右方向に９０°傾けた場合には傘１３２が上下方向に回転移動するように表示することができる。
図１４（ａ−２）に示すように、円筒１３５の回転軸Ｏを傾けた状態では、図１４（ｂ−２）に示すように、傘１３２ｉを回転する円筒１３５の回転軸Ｏと、利用者Ｕが回転しているように見せる中心軸Ｃとが異なっている。この場合、制御部４０は、円筒１３５が回転することにより、傘１３２ｉが落書き用モニタ２１内を左下と右上との間を移動するように表示する。
また、図１４（ａ−３）に示すように、リセットボタン１３６ａがタッチされると、図１４（ａ−４）、図１４（ｂ−４）に示すように、円筒１３５の傾きが初期状態（図１４（ａ−１）、図１４（ｂ−１）の状態）に戻される。
【００４１】
このように、撮影システム１は、円筒１３５の回転軸Ｏが撮影情報の中心軸Ｃとが異なるので、利用者Ｕと落書きとを異なる回転軸で回転し、面白い態様で表示することができる。
【００４２】
図１５に示すように、円筒サイズ調整エリア１３７は、アイテム１３２を回転表示する場合の回転半径を「小」から「大」までの間で調整するための表示領域である。
初期状態では、図１５（ａ−２）に示すように、指標１３７ａがバー１３７ｂの中央に位置し、図１５（ｂ−２）に示すように、円筒１３５が「小」と「大」との中間の「標準」のサイズとなる。
そして、図１５（ａ−１）、図１５（ｂ−１）に示すように、指標１３７ａがタッチされた状態で左方向に移動されると、制御部４０は、円筒１３５の径を縮小する。一方、図１５（ａ−３）、図１５（ｂ−３）に示すように、指標１３７ａがタッチされた状態で右方向に移動されると、制御部４０は、円筒１３５の径を拡大する。これにより、制御部４０は、アイテム１３２であるハート１３２ｊを表示する場合の回転半径を小さく又は大きくする。
このように、撮影システム１は、円筒１３５の径入力に応じて、既に表示されている落書きをその回転半径を変更して表示するので、この回転半径の編集を容易にすることができる。
【００４３】
利用者Ｕが落書きの作業を終了し、決定ボタン（図示せず）等を操作すると、若しくは所定の入力時間が経過すると、制御部４０は、利用者Ｕの２４つの画像データに、２４つの分割背景Ｂと、アイテム１３２とを合成した２４つの新たな画像を生成する。制御部４０は、これらの新たに生成された画像データを、例えば、ファイル名、拡張子等により、隣合う画像データを関連付けて記憶する。そして、後述するように、制御部４０は、これらの画像データをサーバにアップロードする。これらの画像データは、利用者Ｕが所有する携帯電話機４８に要求に応じてダウンロードされる。
【００４４】
次に、画像の合成処置における位置関係について説明する。
図１６は、本実施形態のプレビュー表示領域Ｐ１を切断して（図１０に示すＤ−Ｄ部矢視断面図参照）、利用者Ｕの撮影情報と、分割背景Ｂ（分割背景Ｂ１）と、アイテム１３２ｋ〜１３２ｍとを合成する場合の位置関係を説明する図である。
すなわち、プレビュー表示領域Ｐ１には、図１６を下側から上側（矢印Ｅ方向）から見た状態の画像が表示されることになる。
【００４５】
この場合、一番手前側（図中下側）には、アイテム１３２ｋの画像があるので、アイテム１３２ｋの画像よりも奥側（図中上側）にある利用者Ｕの画像及び背景画像の分割背景Ｂ１の画像は、アイテム１３２ｋの画像に隠れて見えない（斜線１４０参照）。同様に、アイテム１３２ｌよりも奥側にある分割背景Ｂ１の画像は、見えない（斜線１４１参照）。
また、利用者Ｕの画像よりも奥側にあるアイテム１３２ｍ及び分割背景Ｂ１の画像は、利用者Ｕの画像に隠れて見えない（斜線１４２参照）。
従って、制御部４０は、プレビュー表示領域Ｐ１に、この断面部分に対応する範囲では、アイテム１３２ｋ，１３２ｌと、利用者Ｕ（範囲Ｕ−１）と、分割背景Ｂ（範囲Ｂ１−１〜Ｂ１−３）との画像を表示する。
なお、円筒１３５の背面側（図中上側）の画像は、表示すると表裏が逆となってしまうので、制御部４０は、この背面側の画像については、削除して画像の合成処理をしてもよい。この場合、制御部４０は、より自然な態様で画像を表示することができる。
【００４６】
図１７は、本実施形態の撮影情報と背景画像と落書きのデータとを合成した表示例である。
以上の一連の処理を経て、制御部４０は、落書きのデータと、撮影情報及び背景画像とを合成してプレビュー表示領域Ｐ１に表示する。
これにより、制御部４０は、落書きと利用者Ｕとが一緒に回転しているように表示することができる。利用者Ｕは、プレビュー表示領域Ｐ１の画像を確認して、落書きの書き込み等の作業を終了する場合には、決定ボタン（図示せず）を操作する。
【００４７】
これに応じて信号が制御部４０に出力され、制御部４０は、落書きの内容を確定して、撮影情報と背景画像と落書きデータとを合成して出力するための関連付け用データを新たに作成し、記憶部３５に一次記憶する。そして、図３に示すように、制御部４０は、通信回路３１を駆動して撮影情報を含むこれらのデータを、サーバ５０へと送信する。
【００４８】
なお、制御部４０（重ね合わせデータ生成手段）は、撮影情報に落書きデータ及び落書きデータを重ね合わせて書き込んだ状態のデータを作成してもよい。つまり、これらのデータを関連付けデータを用いて合成して出力するのではなく、撮影情報と背景画像と落書きデータとを合成した１つのデータを作成して出力してもよい。この場合、データの増加分を抑えデータ容量を小さくできるという効果を有するが、撮影情報自体に落書きデータ等が書き込まれることになり、利用者Ｕが撮影情報のみをパーソナルコンピュータ等に取り込んで加工したりすることが困難となる。従って、データの記憶装置や送受信時におけるデータ容量が制限されない場合には、本実施形態の関連付けデータによる方法の方が利便性がよい。
【００４９】
サーバ５０がこれらのデータを受信すると、制御部７０が、これらのデータを記憶部６０に記憶する。そして、利用者Ｕの携帯電話機４８からの要求に応じて、記憶していたデータを携帯電話機４８へと送信する。
サーバ５０がこれらのデータを受信すると、制御部７０が、これらのデータを記憶部６０に記憶する。そして、利用者Ｕの携帯電話機４８からの要求に応じて、記憶していたデータを携帯電話機４８へと送信する。
このようなデータの受け渡しは、例えば、サーバ５０上に撮影情報等を記録した専用のＷＥＢページを作成しておき、携帯電話機４８からＷＥＢページにアクセスがあった場合に、撮影データ等を携帯電話機４８にダウンロードするようにすればよい。
この場合、ＷＥＢページのアドレスの情報を利用者Ｕに容易に伝達するために、撮影終了後に、利用者Ｕが携帯電話機４８のアドレスをサーバ５０に登録できるようにしてもよい。そして、このＷＥＢページのアドレスの情報を添付して電子メールで携帯電話機４８に送信すれば、利用者ＵによるＷＥＢページへのアクセスを容易にすることができる。
【００５０】
以上説明したように、本実施形態の撮影システム１は、利用者Ｕの複数の撮影位置からの撮影情報に落書き等のデータを重ね合わせ、利用者Ｕが回転しているとともに、落書きが回転しているように表示することができる。
また、本実施形態の撮影システム１は、円筒面に書き込むように落書きを入力することができ、さらに表示内容を静止状態でじっくり確認することができる。
【００５１】
以上、本発明の実施形態について説明したが、本発明は上述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００５２】
（変形形態）
以上説明した実施形態に限定されることなく、種々の変形や変更が可能であって、それらも本発明の技術的範囲内である。
（１）本実施形態において、撮影情報を通信網を介して携帯電話機に送信する例を示したが、これに限定されない。例えば、撮影システムと携帯電話機とは、無線（赤外線等）通信等により直接撮影情報を送受信してもよい。この場合、通信網を介さないので、利用者は、通信費を必要とすることなく、撮影情報を取得することができる。
【００５３】
（２）本実施形態において、撮影システムは、撮影情報をプレビューモニタ等に表示する例を示したが、これに限定されない。例えば、撮影システムは、複数の撮影情報を羅列して粘着剤付きのシートに印刷して出力してもよい。また、切り取り線が設けられたシートに出力すれば、各撮影情報の表示毎に容易に切り分けることができるので、利便性がよい。
【００５４】
（３）本実施形態において、カメラが円周上の各撮影位置に配置されている例を示したが、これに限定されない。例えば、撮影システムに、円周状のレールと、カメラをこのレールに沿って移動させる駆動機構を設けてもよい。また、撮影システムは、回転中心に載置した利用者を回転するターンテーブル等と、回転中心に向けられたカメラとを備えていてもよい。この場合、撮影システムは、カメラを円周上の複数の各撮影位置へと移動させることができるので、カメラの数が少なくても各撮影位置からの画像データを取得することができ、コスト削減を図ることができる。
【００５５】
（４）本実施形態において、撮影情報を携帯電話機へとダウロードする例を示したが、これに限定されない。例えば、通信システムは、モニタを備える携帯情報通信端末に撮影情報をダウロードできるようにしてもよい。また、通信システムは、利用者が所有するパーソナルコンピュータ等に撮影情報をダウロードできるようにしてもよい。この場合、利用者は、編集ソフト等により撮影情報を編集することができるので、撮影情報のより進んだ利用が可能である。
【図面の簡単な説明】
【００５６】
【図１】本実施形態の撮影システムの斜視図である。
【図２】本実施形態の撮影室内のカメラ配置を説明する図である。
【図３】本実施形態の撮影情報の通信システムのブロック図である。
【図４】本実施形態の落書きのスタート画面を示す図である。
【図５】本実施形態のフレーム設定画面を示す図である。
【図６】本実施形態のフレーム設定時におけるプレビュー表示領域の表示例を示す図である。
【図７】本実施形態の背景設定画面を示す図である。
【図８】本実施形態の分割背景を生成する例を示す図である。
【図９】本実施形態の背景画像に新たな背景を合成する例を示す図である。
【図１０】本実施形態の落書き入力画面を示す図である。
【図１１】本実施形態のアイテムを示す図である。
【図１２】本実施形態のコロコロスタンプを示す図である。
【図１３】本実施形態の落書き入力時におけるプレビュー表示領域の表示例を示す図である。
【図１４】本実施形態の仮想の円筒の傾きの設定を説明する図である。
【図１５】本実施形態の仮想の円筒の径の設定を説明する図である。
【図１６】本実施形態の各撮影情報等の各データを合成する場合の位置関係を説明する図である。
【図１７】本実施形態の撮影情報と背景画像と落書きのデータとを合成した表示例である。
【符号の説明】
【００５７】
１  撮影システム
１１  カメラ
２０  落書き装置
２１  落書き用モニタ
２２  落書きペン
３１  通信回路
３５  記憶部
４０  制御部
４８  携帯電話機
４９  通信網
５０  サーバ
１００  通信システム
１１３  フレーム人物表示位置領域
１１４  人物大きさ設定領域
１２１Ａ〜１２１Ｃ  背景画像
Ｂ，Ｂ１〜Ｂ２４  分割背景
１３１  アイテム選択領域
１３４  落書きエリアＢ
１３５  円筒
Ｐ１  プレビュー表示領域
【図１】
0005090950.tif 000002
【図２】
0005090950.tif 000003
【図３】
0005090950.tif 000004
【図４】
0005090950.tif 000005
【図５】
0005090950.tif 000006
【図６】
0005090950.tif 000007
【図７】
0005090950.tif 000008
【図８】
0005090950.tif 000009
【図９】
0005090950.tif 000010
【図１０】
0005090950.tif 000011
【図１１】
0005090950.tif 000012
【図１２】
0005090950.tif 000013
【図１３】
0005090950.tif 000014
【図１４】
0005090950.tif 000015
【図１５】
0005090950.tif 000016
【図１６】
0005090950.tif 000017
【図１７】
0005090950.tif 000018